(57)【要約】【課題】安価かつ簡略化した構成で、小ロットの製造にも適したＲＦＩＤリストバンドおよびその取付け方法を提供すること。【解決手段】表面側領域３５および裏面側領域３６を折畳み線３７で折り畳み可能とし、粘着剤層３４をリング形成用粘着部３８として残存させ、折り畳んだ状態の表面側領域３５および裏面側領域３６の間にＲＦＩＤインレット５を配置することに着目し、バンド基材３３の裏面に粘着剤層３４を形成し、表面側領域３５と、表面側領域３５と同じ幅を有する裏面側領域３６と、を有し、表面側領域３５および裏面側領域３６の境界部に形成した折畳み線３７でバンド基材３３を折り畳み可能とするとともに、粘着剤層３４の一部をリング形成用粘着部３８として残存可能とし、折り畳んだ状態の表面側領域３５および裏面側領域３６の間にＲＦＩＤインレット５を配置する。【選択図】図１
2014032272.tif 000002
【特許請求の範囲】
【請求項１】
バンド基材と、
このバンド基材に取り付けるＲＦＩＤインレットと、を有し、手首や足首などの被巻付け部に巻き付け可能なＲＦＩＤリストバンドであって、
前記バンド基材は、
その裏面に粘着剤層を形成しているとともに、
前記被巻付け部に巻き付ける状態で当該ＲＦＩＤリストバンドの表面側に位置する表面側領域と、
前記被巻付け部に巻き付ける状態で当該ＲＦＩＤリストバンドの裏面側に位置するとともにこの表面側領域と同じ幅を有する裏面側領域と、を有し、
前記表面側領域および前記裏面側領域の境界部に折畳み線を形成し、この折畳み線で前記バンド基材を折り畳み可能として前記表面側領域および前記裏面側領域を前記表面側および前記裏面側にそれぞれ位置させることにより、前記粘着剤層の一部をリンク形成用粘着部として残存可能であるとともに、
折り畳んだ状態の前記表面側領域および前記裏面側領域の間に前記ＲＦＩＤインレットを配置していることを特徴とするＲＦＩＤリストバンド。
【請求項２】
前記裏面側領域は、前記表面側領域より短い長さを有することを特徴とする請求項１記載のＲＦＩＤリストバンド。
【請求項３】
前記表面側領域は、前記裏面側領域より短い長さを有することを特徴とする請求項１記載のＲＦＩＤリストバンド。
【請求項４】
前記裏面側領域は、前記表面側領域と同じ長さを有することを特徴とする請求項１記載のＲＦＩＤリストバンド。
【請求項５】
前記表面側領域および前記裏面側領域は、前記バンド基材の長さ方向において、それぞれの一端部が一致していることを特徴とする請求項２または３記載のＲＦＩＤリストバンド。
【請求項６】
前記表面側領域および前記裏面側領域は、前記バンド基材の長さ方向において、それぞれの両端部が互いにずれていることを特徴とする請求項１ないし４のいずれかに記載のＲＦＩＤリストバンド。
【請求項７】
前記リング形成用粘着部は、前記表面側領域の少なくとも一端部領域にこれを形成することを特徴とする請求項１ないし５のいずれかに記載のＲＦＩＤリストバンド。
【請求項８】
前記リング形成用粘着部は、前記裏面側領域の少なくとも一端部領域にこれを形成することを特徴とする請求項１ないし５のいずれかに記載のＲＦＩＤリストバンド。
【請求項９】
前記リング形成用粘着部は、前記表面側領域の裏面側に位置する前記粘着剤層からこれを形成することを特徴とする請求項１、２、４ないし７のいずれかに記載のＲＦＩＤリストバンド。
【請求項１０】
前記リング形成用粘着部は、前記裏面側領域の裏面側に位置する前記粘着剤層からこれを形成することを特徴とする請求項１、３、４ないし６、８のいずれかに記載のＲＦＩＤリストバンド。
【請求項１１】
バンド基材と、
このバンド基材に取り付けるＲＦＩＤインレットと、を有し、手首や足首などの被巻付け部に巻き付け可能なＲＦＩＤリストバンドの取付け方法であって、
前記バンド基材は、
その裏面に粘着剤層を形成しているとともに、
前記被巻付け部に巻き付ける状態で当該ＲＦＩＤリストバンドの表面側に位置する表面側領域と、
前記被巻付け部に巻き付ける状態で当該ＲＦＩＤリストバンドの裏面側に位置するとともにこの表面側領域と同じ幅を有する裏面側領域と、を有しており、
前記表面側領域および前記裏面側領域の境界部に形成した折畳み線で前記バンド基材を折り畳むことにより前記表面側領域および前記裏面側領域を前記表面側および前記裏面側にそれぞれ位置させることにより、折り畳んだ状態の前記表面側領域および前記裏面側領域の間に前記ＲＦＩＤインレットを配置するとともに、
前記粘着剤層の一部をリンク形成用粘着部として残存させ、
このリング形成用粘着部を前記表面側領域あるいは前記裏面側領域の端部領域に貼り付けて当該ＲＦＩＤリストバンドを前記被巻付け部にリング状に取り付けることを特徴とするＲＦＩＤリストバンドの取付け方法。
【発明の詳細な説明】
【技術分野】
【０００１】
本発明はＲＦＩＤ（Ｒａｄｉｏ  Ｆｒｅｑｕｅｎｃｙ  Ｉｄｅｎｔｉｆｉｃａｔｉｏｎ；無線自動認識）リストバンドおよびその取付け方法にかかるもので、とくに医療分野や遊技場その他の施設などにおいて患者や入場者の手首や足首などに巻き付けるようにして取り付けることにより、患者や入場者を特定することができるようにしたＲＦＩＤリストバンドおよびその取付け方法に関するものである。
【背景技術】
【０００２】
従来から、医療用のＲＦＩＤリストバンドは、入院患者の氏名、生年月日や性別その他必要な情報（特定情報）をその表面に記載ないし印字により表示するとともに、内部に積層したＲＦＩＤインレットによりデータ通信を可能とした上で、手首や足首など（被巻付け部）に巻き付けることにより本人を特定可能とし、検査や治療時に本人の照合を可能としている。
また、遊技場その他の施設における入場者を確認するためにも、同様のＲＦＩＤリストバンドが使用されている。
【０００３】
図１２にもとづき、従来のＲＦＩＤリストバンド１について概説する。
図１２は、ＲＦＩＤリストバンド１の各層を分離して示す概略断面図であって、ＲＦＩＤリストバンド１は、中央の芯基材２と、芯基材２に接着積層する表面側基材３および裏面側基材４と、ＲＦＩＤインレット５と、を有する。
表面側基材３には、その印字領域６に患者あるいは入場者などに関する氏名その他の文字記号やバーコードなどによる特定情報を表示可能としている。
【０００４】
ＲＦＩＤインレット５は、図１２にその概略を平面的に示すように、インレットフィルム７と、ＩＣチップ８と、ＲＦＩＤアンテナ９と、を有し、無線によるデータ通信が可能であって、接着剤１０により芯基材２にこれを接着している。
ＲＦＩＤインレット５は、たとえばＵＨＦ帯（３００ＭＨｚ〜３ＧＨｚ（好ましくは８６０〜９６０ＭＨｚ、さらに具体的には、４３３ＭＨｚ、９００ＭＨｚ、９１５〜９２８ＭＨｚ、９５０〜９５８ＭＨｚ）やマイクロ波（１〜３０ＧＨｚ、具体的には２．４５ＧＨｚ）、ＨＦ帯（３ＭＨｚ〜３０ＭＨｚ（好ましくは１３．５６ＭＨｚ））あるいは１３５ｋＨｚ以下など、その他、所定の周波数帯の電波および電磁的作用などにより、ＲＦＩＤアンテナ９を介してＩＣチップ８に必要なデータの無線による読み取りおよび書き込み（データ通信）を行う。
ただし、それぞれの使用電波に応じてＩＣチップ８およびＲＦＩＤアンテナ９の具体的構成を適正なものとしている。
【０００５】
芯基材２、表面側基材３および裏面側基材４の左右両端部側には、セット孔１１および調節孔１２をそれぞれ任意の数だけ形成し、患者や入場者の手首や足首などの被巻付け部に巻き掛けるようにＲＦＩＤリストバンド１をリング状に曲げた状態で、互いに位置を合わせた状態のセット孔１１および調節孔１２に固定用クリップ（図示せず）を取り付け固定することにより、被巻付け部にＲＦＩＤリストバンド１を巻き付け可能である。
【０００６】
しかしながら、このようなＲＦＩＤリストバンド１は、耐久性に優れる一方で非常に高価である。また、小ロットの生産には向かないほか、短期間の使用など簡略的な用途には向かないという問題がある。
【０００７】
図１３は、比較的簡略化した構成の従来のＲＦＩＤリストバンド２０の各層を分離して示す概略断面図であって、ＲＦＩＤリストバンド２０は、バンド基材２１と、上記ＲＦＩＤインレット５および接着剤１０と、を有し、バンド基材２１の一方の端部に両面接着剤２２を貼り付けるとともに、両面接着剤２２に剥離紙２３を仮着している。
このＲＦＩＤリストバンド２０の使用にあたっては、剥離紙２３を剥離して両面接着剤２２を露出させ、ＲＦＩＤリストバンド２０の他方の端部に貼り付けることにより、被巻付け部にＲＦＩＤリストバンド２０を巻き付け可能である。
【０００８】
上記ＲＦＩＤリストバンド２０は、簡略かつ安価である反面、バンド基材２１の所定位置に両面接着剤２２および剥離紙２３、さらにはＲＦＩＤインレット５を貼り付ける構成であるため、専用設備による製造が必要になる。また、ＲＦＩＤインレット５がむき出しになるため耐久性に不安が残る。
【先行技術文献】
【特許文献】
【０００９】
【特許文献１】特開２００５−２８３９９２号公報
【発明の概要】
【発明が解決しようとする課題】
【００１０】
本発明は以上のような諸問題にかんがみなされたもので、安価かつ簡略化した構成のＲＦＩＤリストバンドおよびその取付け方法を提供することを課題とする。
【００１１】
また本発明は、小ロットの製造にも適したＲＦＩＤリストバンドおよびその取付け方法を提供することを課題とする。
【００１２】
また本発明は、従来のラベル製造工程と同様の工程で安価に製造可能なＲＦＩＤリストバンドおよびその取付け方法を提供することを課題とする。
【課題を解決するための手段】
【００１３】
すなわち本発明は、バンド基材に、表面側領域およびこの表面側領域と同じ幅を有する裏面側領域を形成し、折畳み線でバンド基材を折り畳み可能として、粘着剤層の一部をリンク形成用粘着部として残存可能とするとともに、折り畳んだ状態の表面側領域および裏面側領域の間にＲＦＩＤインレットを配置することに着目したもので、第一の発明は、バンド基材と、このバンド基材に取り付けるＲＦＩＤインレットと、を有し、手首や足首などの被巻付け部に巻き付け可能なＲＦＩＤリストバンドであって、上記バンド基材は、その裏面に粘着剤層を形成しているとともに、上記被巻付け部に巻き付ける状態で当該ＲＦＩＤリストバンドの表面側に位置する表面側領域と、上記被巻付け部に巻き付ける状態で当該ＲＦＩＤリストバンドの裏面側に位置するとともにこの表面側領域と同じ幅を有する裏面側領域と、を有し、上記表面側領域および上記裏面側領域の境界部に折畳み線を形成し、この折畳み線で上記バンド基材を折り畳み可能として上記表面側領域および上記裏面側領域を上記表面側および上記裏面側にそれぞれ位置させることにより、上記粘着剤層の一部をリンク形成用粘着部として残存可能であるとともに、折り畳んだ状態の上記表面側領域および上記裏面側領域の間に上記ＲＦＩＤインレットを配置していることを特徴とするＲＦＩＤリストバンドである。
【００１４】
第二の発明は、バンド基材と、このバンド基材に取り付けるＲＦＩＤインレットと、を有し、手首や足首などの被巻付け部に巻き付け可能なＲＦＩＤリストバンドの取付け方法であって、上記バンド基材は、その裏面に粘着剤層を形成しているとともに、上記被巻付け部に巻き付ける状態で当該ＲＦＩＤリストバンドの表面側に位置する表面側領域と、上記被巻付け部に巻き付ける状態で当該ＲＦＩＤリストバンドの裏面側に位置するとともにこの表面側領域と同じ幅を有する裏面側領域と、を有しており、上記表面側領域および上記裏面側領域の境界部に形成した折畳み線で上記バンド基材を折り畳むことにより上記表面側領域および上記裏面側領域を上記表面側および上記裏面側にそれぞれ位置させることにより、折り畳んだ状態の上記表面側領域および上記裏面側領域の間に上記ＲＦＩＤインレットを配置するとともに、上記粘着剤層の一部をリンク形成用粘着部として残存させ、このリング形成用粘着部を上記表面側領域あるいは上記裏面側領域の端部領域に貼り付けて当該ＲＦＩＤリストバンドを上記被巻付け部にリング状に取り付けることを特徴とするＲＦＩＤリストバンドの取付け方法である。
【００１５】
上記裏面側領域は、上記表面側領域より短い長さを有することができる。
【００１６】
上記表面側領域は、上記裏面側領域より短い長さを有することができる。
【００１７】
上記裏面側領域は、上記表面側領域と同じ長さを有することができる。
【００１８】
上記表面側領域および上記裏面側領域は、上記バンド基材の長さ方向において、それぞれの一端部が一致していることができる。
【００１９】
上記表面側領域および上記裏面側領域は、上記バンド基材の長さ方向において、それぞれの両端部が互いにずれていることができる。
【００２０】
上記リング形成用粘着部は、上記表面側領域の少なくとも一端部領域にこれを形成することができる。
【００２１】
上記リング形成用粘着部は、上記裏面側領域の少なくとも一端部領域にこれを形成することができる。
【００２２】
上記リング形成用粘着部は、上記表面側領域の裏面側に位置する上記粘着剤層からこれを形成することができる。
【００２３】
上記リング形成用粘着部は、上記裏面側領域の裏面側に位置する上記粘着剤層からこれを形成することができる。
【発明の効果】
【００２４】
本発明によるＲＦＩＤリストバンドおよびその取付け方法においては、バンド基材に、表面側領域およびこの表面側領域と同じ幅を有する裏面側領域を形成し、折畳み線でバンド基材を折り畳み可能として、粘着剤層の一部をリンク形成用粘着部として残存可能とするとともに、折り畳んだ状態の表面側領域および裏面側領域の間にＲＦＩＤインレットを配置するようにしたので、一般的なラベル製造工程でバンド基材を製造し、表面側領域あるいは裏面側領域のいずれか一方にＲＦＩＤインレットを取り付けて、折り畳んだときにその間にＲＦＩＤインレットを配置することができ、小ロットで安価に製造可能であるとともに、その取付け操作も簡単である。
【００２５】
とくに第一の発明のＲＦＩＤリストバンドによれば、折畳み線を境に形成した表面側領域および裏面側領域の間にＲＦＩＤインレットを挟むように折り畳み、リング形成用粘着部により全体をリング状に形成することができ、ＲＦＩＤインレットを確実に保護するとともに、簡単な構成で安価に提供することができる。
【００２６】
とくに第二の発明のＲＦＩＤリストバンドの取付け方法によれば、表面側領域および裏面側領域を折畳み線で折り畳んで、その間にＲＦＩＤインレットを配置し、折り畳んだときに形成されるリング形成用粘着部により被巻付け部に全体をリング状に取り付けることができ、簡単な取付け操作により被巻付け部に取り付け可能である。
【図面の簡単な説明】
【００２７】
【図１】本発明の第１の実施例によるＲＦＩＤリストバンド３２を有するＲＦＩＤリストバンド連続体３０の平面図である。
【図２】同、図１のＩＩ−ＩＩ線断面図である。
【図３】同、ＲＦＩＤリストバンド連続体３０を装填して、表面側領域３５に特定情報を印字可能な、たとえばサーマルプリンター４１の概略側面図である。
【図４】同、台紙３１から剥離した状態のＲＦＩＤリストバンド３２の平面図である。
【図５】同、折畳み線３７の部分で裏面側領域３６を表面側領域３５の裏面側に折り畳むことにより、ＲＦＩＤインレット５を表面側領域３５と裏面側領域３６との間に挟むように配置した状態の平面図である。
【図６】同、表面側領域３５における一端部領域３５Ｒ１のリング形成用粘着部３８を表面側領域３５の他端部領域３５Ｒ２（一端部３５Ａの領域）に貼り付けることにより、ＲＦＩＤリストバンド３２をリング状に形成する操作を示す斜視図である。
【図７】本発明の第２の実施例によるＲＦＩＤリストバンド６０の平面図である。
【図８】同、折畳み線３７において表面側領域３５および裏面側領域３６を折り畳むことにより、ＲＦＩＤインレット５を表面側領域３５と裏面側領域３６との間に挟むように配置した状態の平面図である。
【図９】本発明の第３の実施例によるＲＦＩＤリストバンド７０の平面図である。
【図１０】同、折畳み線３７において表面側領域３５および裏面側領域３６を折り畳むことにより、ＲＦＩＤインレット５を表面側領域３５と裏面側領域３６との間に挟んだ状態を示す平面図である。
【図１１】同、ＲＦＩＤリストバンド７０を被巻付け部に巻き掛けるようにリング状に形成する操作を示す斜視図である。
【図１２】従来のＲＦＩＤリストバンド１の各層を分離して示す概略断面図である。
【図１３】比較的簡略化した構成の従来のＲＦＩＤリストバンド２０の各層を分離して示す概略断面図である。
【発明を実施するための形態】
【００２８】
本発明は、バンド基材に形成した表面側領域および裏面側領域を折畳み線で折り畳み可能として、粘着剤層の一部をリンク形成用粘着部として残存可能とするとともに、折り畳んだ状態の表面側領域および裏面側領域の間にＲＦＩＤインレットを配置するようにしたので、一般的なラベル製造工程でバンド基材を製造し、表面側領域あるいは裏面側領域のいずれか一方にＲＦＩＤインレットを取り付けて、折り畳んだときにその間にＲＦＩＤインレットを配置して保護することができ、小ロットで安価に製造可能であるとともに、その取付け操作も簡単なＲＦＩＤリストバンドおよびその取付け方法を実現した。
【実施例】
【００２９】
つぎに本発明の第１の実施例によるＲＦＩＤリストバンドおよびその取付け方法を図１ないし図６にもとづき説明する。ただし、図１２および図１３と同様の部分には同一符号を付し、その詳述はこれを省略する。
図１は、ＲＦＩＤリストバンド連続体３０の平面図、図２は、図１のＩＩ−ＩＩ線断面図であって、ＲＦＩＤリストバンド連続体３０は、帯状の台紙３１と、台紙３１の表面に仮着した複数枚の当該ＲＦＩＤリストバンド３２と、を有する。
【００３０】
ＲＦＩＤリストバンド３２は、合成紙その他任意の材料によるバンド基材３３を有し、このバンド基材３３は、その裏面に粘着剤層３４を形成しているとともに、互いに隣接して画成した帯状の表面側領域３５および裏面側領域３６と、前記ＲＦＩＤインレット５（図１２）と、を有する。
【００３１】
表面側領域３５は、手首や足首などの被巻付け部に巻き付ける状態で当該ＲＦＩＤリストバンド３２の表面側に位置する領域である。
裏面側領域３６は、被巻付け部に巻き付ける状態で当該ＲＦＩＤリストバンド３２の裏面側に位置する領域であるとともにこの表面側領域３５と同じ幅を有する。
【００３２】
表面側領域３５および裏面側領域３６の境界部には、ミシン目その他による折畳み線３７を形成し、この折畳み線３７でバンド基材３３を折り畳み可能として表面側領域３５および裏面側領域３６を表面側および裏面側にそれぞれ位置させることにより、粘着剤層３４をリング形成用粘着部３８として残存露出可能である。
すなわち、図示の例では、裏面側領域３６は、表面側領域３５より短い長さを有するとともに、表面側領域３５および裏面側領域３６は、バンド基材３３の長さ方向において、それぞれの一端部３５Ａ、３６Ａ（図１中、左側の端部）の位置が一致している。
したがって、表面側領域３５が裏面側領域３６に対して長い一端部領域３５Ｒ１（図１中、右側の端部領域）に対応する粘着剤層３４をリング形成用粘着部３８として露出することとなる。
かくして、リング形成用粘着部３８は、表面側領域３５の少なくとも一端部側（すなわち、表面側領域３５における一端部領域３５Ｒ１）の裏面側に位置する粘着剤層３４からこれを形成する。
【００３３】
ＲＦＩＤインレット５は、表面側領域３５あるいは裏面側領域３６のいずれか一方の裏面側にこれを貼り付けてあり、折り畳んだ状態において表面側領域３５および裏面側領域３６の間にこれを配置して保護することができる。
【００３４】
なお、リング形成用粘着部３８を形成した一端部領域３５Ｒ１のバンド基材３３には、任意の形状の切込みによる不正貼替え防止用カット３９を形成している。
【００３５】
また、ＲＦＩＤリストバンド連続体３０において、その長さ方向で互いに隣り合うＲＦＩＤリストバンド３２とＲＦＩＤリストバンド３２との間のバンド間隙４０を位置検出用に利用可能である。
【００３６】
図３は、ＲＦＩＤリストバンド連続体３０を装填して、表面側領域３５に特定情報を印字可能な、たとえばサーマルプリンター４１の概略側面図であって、サーマルプリンター４１は、ＲＦＩＤリストバンド連続体３０の供給部４２と、検出部４３と、印字部４４と、を有する。
【００３７】
検出部４３は、上記バンド間隙４０（図１、図２）を検出する位置検出センサー４５を有する。
なお、台紙３１の裏面側にあらかじめ印刷した位置検出用マーク（図示せず）を検出するようにしてもよい。
【００３８】
印字部４４は、サーマルヘッド４６およびプラテンローラー４７と、熱転写インクリボン４８の供給軸４９および巻取り軸５０と、を有する。
サーマルヘッド４６およびプラテンローラー４７の間にＲＦＩＤリストバンド連続体３０および熱転写インクリボン４８を挟持し、プラテンローラー４７を回転駆動してＲＦＩＤリストバンド連続体３０および熱転写インクリボン４８を移送するとともに、サーマルヘッド４６からの印字データの供給により、ＲＦＩＤリストバンド連続体３０（ＲＦＩＤリストバンド３２）の表面側領域３５に必要な特定情報を印字可能である。
なお、バンド基材３３が感熱発色剤層を有する、いわゆるサーマル紙の場合には、熱転写インクリボン４８を用いずに印字が可能である。
【００３９】
こうした構成のＲＦＩＤリストバンド連続体３０において、まず、サーマルプリンター４１（図３）にＲＦＩＤリストバンド連続体３０を装填してバンド基材３３の表面側領域３５に、ＲＦＩＤインレット５におけるＩＣチップ８のデータと関連する必要な特定情報、たとえば患者あるいは入場者の氏名やバーコード（あるいは二次元コード）その他の可変情報を印字したのち、ＲＦＩＤインレット５付きのバンド基材３３をＲＦＩＤリストバンド３２として台紙３１から剥離する。
【００４０】
図４は、台紙３１から剥離した状態のＲＦＩＤリストバンド３２の平面図である。
図５は、折畳み線３７の部分で裏面側領域３６を表面側領域３５の裏面側に折り畳むことにより、ＲＦＩＤインレット５を表面側領域３５と裏面側領域３６との間に挟むように配置した状態の平面図であって、不正貼替え防止用カット３９を形成している表面側領域３５における一端部領域３５Ｒ１の裏面側にリング形成用粘着部３８が位置していることになる。
【００４１】
図６は、表面側領域３５における一端部領域３５Ｒ１のリング形成用粘着部３８を表面側領域３５の他端部領域３５Ｒ２（一端部３５Ａの領域）に貼り付けることにより、ＲＦＩＤリストバンド３２をリング状に形成する操作を示す斜視図であって、表面側領域３５および裏面側領域３６をＲＦＩＤリストバンド３２の表面側および裏面側にそれぞれ位置させるように、ＲＦＩＤリストバンド３２を被巻付け部に巻き掛けて、残存露出しているリング形成用粘着部３８をバンド基材３３（表面側領域３５の他端部領域３５Ｒ２）に貼り付けることによって、ＲＦＩＤリストバンド３２をリング状に形成して被巻付け部に取り付けることができる。
【００４２】
かくして、ＲＦＩＤリストバンド連続体３０は、従来からのラベル連続体と同様に製造可能であり、すなわち、表面側領域３５および裏面側領域３６の形状にバンド基材３３を打ち抜く工程は、従来のラベルないしラベル連続体の打抜き工程と同様で、一般的なラベル製造装置を用いて小ロットでの製造も可能である。
さらに、表面側領域３５あるいは裏面側領域３６のいずれかにＲＦＩＤインレット５を貼り付ける作業も一般的な貼付け装置を利用可能であり、表面側領域３５および裏面側領域３６の間にこれを保護した状態で確実に取り付けておくことができる。
【００４３】
なお本発明においては、図示を省略するが、表面側領域３５を裏面側領域３６より短く形成し、上述の第１の実施例と同様のＲＦＩＤリストバンドを構成することもできる。
ただし、この構成において、リング形成用粘着部３８は、裏面側領域３６の裏面側に位置する粘着剤層３４の一部からこれを形成しているとともに、リング形成用粘着部３８は、裏面側領域３６の一端部領域における裏面側にこれを設けることになる。
すなわち本発明においては、リング形成用粘着部３８を表面側領域３５あるいは裏面側領域３６の他端部領域に貼り付けて、当該ＲＦＩＤリストバンドを被巻付け部にリング状に取り付けることができる。
【００４４】
図７は、本発明の第２の実施例によるＲＦＩＤリストバンド６０の平面図であって、ＲＦＩＤリストバンド６０においては、裏面側領域３６は、表面側領域３５と同じ長さを有するとともに、表面側領域３５および裏面側領域３６は、バンド基材３３の長さ方向において、それぞれの両端部（図中、左側の一端部３５Ａおよび一端部３６Ａ、右側の他端部３５Ｂおよび他端部３６Ｂ）が互いにずれている。
【００４５】
こうした構成のＲＦＩＤリストバンド６０においては、リング形成用粘着部３８は、表面側領域３５および裏面側領域３６の両端部側（それぞれの端部領域）に形成されることになる。
図８は、折畳み線３７において表面側領域３５および裏面側領域３６を折り畳むことにより、ＲＦＩＤインレット５を表面側領域３５と裏面側領域３６との間に挟むように配置した状態の平面図であって、不正貼替え防止用カット３９を形成した表面側領域３５の一端部領域３５Ｒ１、および裏面側領域３６の一端部領域３６Ｒ１（図７）の裏面側に、左右一対で表裏面側のそれぞれにリング形成用粘着部３８が位置していることになる。
【００４６】
したがって、表面側領域３５が表面側に位置するように、かつ左右一対のそれぞれのリング形成用粘着部３８が対向するように被巻付け部にリング状に巻き掛けた状態でリング形成用粘着部３８どうしを貼り付けることにより、ＲＦＩＤリストバンド６０をリング状に形成することができる。
なお、左右一対のリング形成用粘着部３８を貼り付けてリング形状を形成する際に、それぞれ互いに貼り合わせるリング形成用粘着部３８をこえて表面側領域３５および裏面側領域３６にリング形成用粘着部３８に貼り合わせるようにすれば（図８に示した例では、図中左側のリング形成用粘着部３８を表面側領域３５の下方から右側のリング形成用粘着部３８をこえて裏面側領域３６の任意の長さ部分まで、また、図中右側のリング形成用粘着部３８を表面側領域３５の下方から左側のリング形成用粘着部３８をこえて表面側領域３５の任意の長さ部分まで貼り合わせるようにすれば、リング形成用粘着部３８どうしを貼り合わせる場合よりもリング径を小さくすることができる）、リング形成用粘着部３８の貼付け部位を適宜変更することによってリング径を調節することができるとともに、貼付け面積を増やして貼付け強度を大きくすることもできる。
【００４７】
このようなＲＦＩＤリストバンド６０によれば、左右一対の端部領域に位置するリング形成用粘着部３８が、互いに貼付け操作の目安になって被巻付け部への取付け操作をさらに容易に行うことができる。
【００４８】
図９は、本発明の第３の実施例によるＲＦＩＤリストバンド７０の平面図であって、ＲＦＩＤリストバンド７０では、バンド基材３３の長さ方向において、表面側領域３５は裏面側領域３６より長いとともに、表面側領域３５の一端部３５Ａおよび他端部３５Ｂが、裏面側領域３６の他端部３６Ａおよび他端部３６Ｂに対してともに図９中、左右に突出位置にあって、表面側領域３５のの一端部領域３５Ｒ１および他端部領域３５Ｒ２が、裏面側領域３６の一端部３６Ａおよび他端部３６Ｂより外方に位置している。
【００４９】
こうした構成のＲＦＩＤリストバンド７０においても、リング形成用粘着部３８は、表面側領域３５および裏面側領域３６の両端部側（それぞれの端部領域）に形成されることになる。
図１０は、折畳み線３７において表面側領域３５および裏面側領域３６を折り畳むことにより、ＲＦＩＤインレット５を表面側領域３５と裏面側領域３６との間に挟んだ状態を示す平面図であって、ＲＦＩＤリストバンド７０においては、上述のように、裏面側領域３６は表面側領域３５より短く、表面側領域３５の両端部領域（一端部領域３５Ｒ１および他端部領域３５Ｒ２）における粘着剤層３４が左右一対のリング形成用粘着部３８として形成されることになる。
【００５０】
図１１は、こうした構成のＲＦＩＤリストバンド７０を被巻付け部に巻き掛けるようにリング状に形成する操作を示す斜視図であって、ＲＦＩＤリストバンド７０の左右両端部の裏面側に位置する左右一対のリング形成用粘着部３８をそれぞれ対向させるように、すなわち、表面側領域３５の一端部領域３５Ｒ１の裏面および他端部領域３５Ｒ２の裏面を互いに向き合わせるようにして、ＲＦＩＤリストバンド７０全体をリング状としてこれを貼り合わせればよい。
【００５１】
このようなＲＦＩＤリストバンド７０によれば、左右一対の端部領域に位置するリング形成用粘着部３８が、互いに貼付け操作の目安になるとともに、表面側から裏面側にそれぞれの端部領域（一端部領域３５Ｒ１および他端部領域３５Ｒ２）を押し付けるだけでよいので、被巻付け部への取付け操作もさらに簡単にすることができる。
【符号の説明】
【００５２】
１  ＲＦＩＤリストバンド（従来、図１２）
２  芯基材
３  表面側基材
４  裏面側基材
５  ＲＦＩＤインレット
６  印字領域
７  インレットフィルム
８  ＩＣチップ
９  ＲＦＩＤアンテナ
１０  接着剤
１１  セット孔
１２  調節孔
２０  ＲＦＩＤリストバンド（従来、図１３）
２１  バンド基材
２２  両面接着剤
２３  剥離紙
３０  ＲＦＩＤリストバンド連続体
３１  台紙
３２  ＲＦＩＤリストバンド（第１の実施例、図１）
３３  バンド基材
３４  粘着剤層
３５  表面側領域
３５Ａ  表面側領域３５の一端部
３５Ｂ  表面側領域３５の他端部
３５Ｒ１  表面側領域３５の一端部領域（端部領域）
３５Ｒ２  表面側領域３５の他端部領域（端部領域）
３６  裏面側領域
３６Ａ  裏面側領域３６の一端部
３６Ｂ  裏面側領域３６の他端部
３６Ｒ１  裏面側領域３６の一端部領域（端部領域）（図７）
３７  表面側領域３５および裏面側領域３６の境界部に形成した折畳み線
３８  リング形成用粘着部
３９  不正貼替え防止用カット
４０  互いに隣り合うＲＦＩＤリストバンド３２の間のバンド間隙
４１  サーマルプリンター（図３）
４２  供給部
４３  検出部
４４  印字部
４５  位置検出センサー
４６  サーマルヘッド
４７  プラテンローラー
４８  熱転写インクリボン
４９  供給軸
５０  巻取り軸
６０  ＲＦＩＤリストバンド（第２の実施例、図７）
７０  ＲＦＩＤリストバンド（第３の実施例、図９）
【図１】
2014032272.tif 000003
【図２】
2014032272.tif 000004
【図３】
2014032272.tif 000005
【図４】
2014032272.tif 000006
【図５】
2014032272.tif 000007
【図６】
2014032272.tif 000008
【図７】
2014032272.tif 000009
【図８】
2014032272.tif 000010
【図９】
2014032272.tif 000011
【図１０】
2014032272.tif 000012
【図１１】
2014032272.tif 000013
【図１２】
2014032272.tif 000014
【図１３】
2014032272.tif 000015